(57)【要約】      （修正有）【課題】展示台等に折り畳まれ、複数枚平積みされた商品のサイズ等の商品情報を、上方商品の排除又は捲ることもなく、一見して容易に視認することができ、再使用可能で、製作容易かつコストが安価なクリップを提供する。【解決手段】クリップＣは、折曲部１を介してほぼ二股状に延設され、先端部２ｃ、２ｄを細巾とした挟着部２と、該挟着部２の一側２ａほぼ中央に立設する商品のサイズＳａ、ブランド、メーカー名又はディーラー名等を表示する表示部３とを、同一素材で一体的に形成してなる。【選択図】図１
0003112951.tif 000002
【実用新案登録請求の範囲】
【請求項１】
折り畳まれ、複数枚平積み又は掛吊された衣料品の挟着可能部位に挟着される、衣料品用表示クリップであって、
折曲部を介して長さの異なるほぼ二股状に延設され、内接面には複数の凹凸部を形成すると共に先端部を細巾とした挟着部と、
該挟着部の一側に立設する衣料品のサイズ、ブランド名、メーカー名又はディーラー名等の商品情報を表示する表示部とを、
同一素材で一体的に成形してなることを特徴とする、衣料品用表示クリップ。
【請求項２】
前記素材が、ポリエチレン、ポリプロピレン、塩化ビニール、スチロール樹脂、ＡＳ樹脂、ＡＢＳ樹脂、アクリル樹脂、ポリカーボネート、ポリアミド、アセタール樹脂及びポリエステル等の熱可塑性樹脂、天然ゴム又は合成ゴム等のゴム類又は紙であることを特徴とする、請求項１記載の衣料品用表示クリップ。
【請求項３】
前記表示部に衣料品のサイズ、ブランド名、メーカー名又はディーラー名等の商品情報を刻設するか又は印刷されたシールを貼着してなることを特徴とする、請求項１及び請求項２記載の衣料品用表示クリップ。
【考案の詳細な説明】
【技術分野】
【０００１】  本考案は、衣料品用表示クリップに関し、特に展示台等に折り畳まれ、複数枚平積みされた衣料品例えば、ジャンパー、セーター、ベスト、トレーナー、ポロシャツ、ワイシャツ、Ｔシャツ、ジーンズ、下着類、靴下等についてのサイズ、ブランド名、メーカー名又はディーラー名等の商品情報を表示する、衣料品用表示クリップに関する。
【背景技術】
【０００２】  従来から、店頭の商品陳列台、陳列ケース又は陳列棚に折り畳まれ平積み又は掛吊されるジャンパー、セーター、ベスト、トレーナー、ポロシャツ、ワイシャツ、Ｔシャツ、ジーンズ、下着類、靴下等についてのサイズ等の表示は、図６に示すように、商品１０のサイズ１１等を表面に印刷し、裏面には、弱粘着性接着剤１２を塗着した紙又は樹脂製のシール１３を、該商品の表面部１０ａに貼着したり、サイズ等を印刷した紙製のタグ（下げ札）に糸又は樹脂製の紐を挿通し、商品に掛吊するか直接商品にタグを縫着したりしている。
【考案の開示】
【考案が解決しようとする課題】
【０００３】  しかしながら、上記の従来技術においては、以下の問題点がある。例えば、サイズ１１等の表示シール１３は、複数枚平積みされた最上部商品１０のサイズ１１のみしか視認できないので、下方にある商品２０、３０、４０、５０のサイズ等を確認したいときは、該商品２０、３０等の上方載置商品１０を排除するか又は捲らねばならないという手間を要し、それにより平積みされた商品全体の陳列が散乱することがあり、店員はそのつど商品を整理しなければならないうえに元の状態に畳み直すことは困難である。また表示シール１３により商品の柄模様、デザイン等が隠蔽され、また表示シール１３の裏面に塗着した接着剤１２は弱粘着性であるために、再使用できないので、使い捨てとなり不経済であり、また顧客の商品捜しによる表示シール１３の一部がめくれたりするので商品が安物に見えることになり、購買意欲をそがれる結果となっている。さらに表示シール１３は、当該商品の購入者（顧客）又は店員によって商品から剥離され、商品の素材例えばニット製品などは、接着剤１２が商品の表面部１０ａの繊維を引剥がすので、顧客には不快感を与えると共に、商品価値を下落させている。【０００４】  またサイズ等を印刷した紙製のタグに糸又は樹脂製の紐を挿通し、商品に掛吊するか直接商品にタグを縫着するのは面倒であり、またタグが平積みされた商品で隠されることもあり、顧客は表示シール１３と同様に目的商品上の載置商品１０を排除するか又は捲らねばならないという不具合も生じる。さらに商品例えば皮革商品等には針穴をあけることができない場合もある。【０００５】  本考案は、上記従来技術の諸問題点を解決するために、鋭意研究されたもので、店頭の商品陳列台、陳列ケース又は陳列棚に折り畳み平積み又は掛吊された各種衣料品のサイズ等の商品情報を、上方又は前面に載置又は掛吊された商品の排除又は捲ることもなく、一見して容易に視認することが可能で、顧客は購入希望する商品を、即座に見つけて平積み又は掛吊された商品群の中から取り出すことができ、繰り返して各種商品に使用可能で、また商品展示の態様に応じて表示位置を容易に変換できる、構造簡単、製作が容易な衣料品用表示クリップを提供することを目的としている。
【課題を解決するための手段】
【０００６】  第１の考案である、衣料品用表示クリップにあっては、折り畳まれ、複数枚平積み又は掛吊された衣料品の挟着可能部位に挟着される、衣料品用表示クリップであって、折曲部を介して長さの異なるほぼ二股状に延設され、内接面には複数の凹凸部を形成すると共に先端部を細巾とした挟着部と、該挟着部の一側に立設する衣料品のサイズ、ブランド名、メーカー名又はディーラー名等の商品情報を表示する表示部とを、同一素材で一体的に成形してなることを特徴としている。【０００７】  第２の考案である、衣料品用表示クリップにあっては、前記素材が、ポリエチレン、ポリプロピレン、塩化ビニール、スチロール樹脂、ＡＳ樹脂、ＡＢＳ樹脂、アクリル樹脂、ポリカーボネート、ポリアミド、アセタール樹脂及びポリエステル等の熱可塑性樹脂、天然ゴム又は合成ゴム等のゴム類又は紙であることを特徴としている。【０００８】  第３の考案である、衣料品用表示クリップにあっては、前記表示部に衣料品のサイズ、ブランド名、メーカー名又はディーラー名等の商品情報を刻設するか又は印刷されたシールを貼着してなることを特徴としている。
【考案の効果】
【０００９】  第１の考案ないし第３の考案によれば、折曲部を介して長さの異なるほぼ二股状に延設され、内接面には複数の凹凸部を形成すると共に先端部を細巾とした挟着部と、該挟着部の一側に立設する衣料品のサイズ、ブランド名、メーカー名又はディーラー名等の商品情報を表示する表示部とを、同一素材で一体的に成形してなるので各種衣料品例えば、ジャンパー、セーター、ベスト、トレーナー、ポロシャツ、ワイシャツ、Ｔシャツ、ジーンズ、下着類、靴下等について、それぞれの商品の適切な挟着可能部位に、細巾とした先端部から容易に挿入し、表示部を正面に向けてほぼ垂直に表示して挟着することができ、顧客は購入希望商品のサイズ、ブランド名等を即座に視認したり、また指先でも確認可能なので、高齢者、視覚障害者や弱視者にも好都合であり、社会的にも有意義な考案である。【００１０】  また挟着部は、折曲部を介して長さの異なるほぼ二股状に延設され、内接面には複数の凹凸部を形成すると共に、素材が有する弾性と折曲部による弾力で商品を適度に挟着、保持できるので、少しの振動、接触等で簡単に商品の挟着部位から脱落することもなく、またこれを抜き取ることも容易であり、顧客により商品が散乱しても畳み直しや挟着位置を容易に変更でき、また接着剤、縫着用の糸、掛吊用の樹脂紐等を使用しないので商品価値を下落させたり、タグの縫着又は掛吊作業等が不要である。さらに折曲部、挟着部及び表示部は、ポリエチレン、ポリプロピレン、塩化ビニール、スチロール樹脂、ＡＳ樹脂、ＡＢＳ樹脂、アクリル樹脂等の熱可塑性樹脂、天然ゴム又は合成ゴム等のゴム類又は紙を用いて一体的に形成できかつ、各種商品毎の適切な挟着部位を設定すれば、別途予め着色印刷されたシールを表示部に貼着すれば、繰り返し使用可能なので経済的であり、また形状は小さいので保管に便利で、かつ構造は簡単で製作が容易という効果も併せ有する。また先端部を細巾としているので、商品の僅かな空隙に挟着することができるので、上記各種の衣料品に使用することができると共に、各種の商品展示用ディスプレイに使用が可能である。
【考案を実施するための最良の形態】
【００１１】  以下、本考案に係る、衣料品用表示クリップの好適な実施形態について図面を参照しながら説明する。図１は、本考案に係る衣料品用表示クリップの斜視図、図２は同横断面図、図３は同使用形態を示す斜視図、図４は本考案に係る、衣料品用表示クリップの他の実施形態を示す斜視図、図５は他の使用形態を示す斜視図、図６は従来技術を説明するための斜視図である。【００１２】  図１〜図３において、Ｃは本考案に係る、衣料品用表示クリップ（以下、クリップという）で、熱可塑性樹脂例えば、ポリエチレン、ポリプロピレン、塩化ビニール、スチロール樹脂、ＡＳ樹脂、ＡＢＳ樹脂、アクリル樹脂等を素材とし、従来の公知技術例えば、射出成型法等により一体的に形成されるもので、１は折曲部で、２ａ、２ｂは折曲部１から右側方向へ延設される二股状の挟着部２を構成し、その一側２ａのほぼ中央には衣料品（以下、商品Ｓという）のサイズＳａ等を表示する表示部３が立設され、他側２ｂの挟着部２は一側２ａと同様に折曲部１から右側方向へ延設され、その先端部２ｃまでの長さは、一側２ａの先端部２ｄまでの長さよりやや短く設定されると共に、図２に示すように先端部２ｃと２ｄの空隙は狭くされ、サイズ表示Ｓａは、クリップＣを一体成型するとき、表示部３に刻設３ａすることができ（図２参照）、また表示シールに着色印刷してもよい。さらに図２に示すように、挟着部２の一側２ａ及び他側２ｂの内接面には複数の凹凸部２ｅ、２ｆが形成され、商品Ｓを適度に圧迫するようになっている。【００１３】  図３はクリップＣの使用態様を示し、クリップＣを商品Ｓに装着するには、先ずクリップＣの表示部３を、外表面に向けて折曲部１近傍の挟着部２ａ、２ｂを指先で摘み、商品Ｓ１の折り畳み左側端部Ｓ１ａに先端部２ｃ及び先端部２ｄを当接し、これを商品Ｓ１の中央に向けて押入し、折曲部１の内面まで挿入してクリップＣの装着作業は進められ、商品Ｓ２〜Ｓ５へのクリップＣの装着は、商品Ｓ１のときと同様にそれぞれ左側端部Ｓ２ａ、Ｓ３ａ、Ｓ４ａ、Ｓ５ａに先端部２ｃ及び先端部２ｄからそれぞれ押入され、折曲部１の内面まで挿入してクリップＣの装着作業は終了する。なお、予めクリップＣを商品Ｓに装着してから、店頭等の陳列台Ｄ上に複数枚平積みすることもできる。【００１４】  図４はクリップＣの他の実施形態を示し、クリップＣ’は、図５に示すように、商品Ｓの折り畳み右側端部から挿入し装着するもので、１’は折曲部で、２’ａ、２’ｂは折曲部１’から左方向へ延設される二股状の挟着部２’を構成し、その一側２’ａのほぼ中央には商品Ｓ’のサイズＳ’ａ等を表示する表示部３’が立設され、他側２’ｂの挟着部２’は一側２’ａと同様に折曲部１’から左方向へ延設され、その先端部２’ｃまでの長さは、一側２’ａの先端部２’ｄまでの長さよりやや短く設定されると共に、先端部２’ｃと２’ｄの空隙は狭くされている。なおサイズ表示Ｓ’ａは、クリップＣ’を製作するとき、表示部３’に刻設することもでき、表示シール４’に着色印刷してもよい。また挟着部２’の一側２’ａ及び他側２’ｂの内接面には複数の凹凸部２’ｅ、２’ｆが形成され、商品Ｓ’を適度に圧迫するようになっている。
【図面の簡単な説明】
【００１５】
【図１】は、本考案に係る衣料品用表示クリップの斜視図である。
【図２】は、同平面図である。
【図３】は、同使用形態を示す斜視図である。
【図４】は、本考案に係る、衣料品用表示クリップの他の実施形態を示す斜視図である。
【図５】は、他の使用形態を示す斜視図である。
【図６】は、従来技術を説明するための斜視図である。
【符号の説明】
【００１６】Ｃ              クリップ
１              折曲部
２              挟着部
２ａ            一側
２ｂ            他側
２ｃ、２ｄ      先端部
２ｅ、２ｆ      凹凸部
３              表示部
４              表示シール
Ｓ              商品
Ｓａ            表示サイズ
Ｄ              展示台
【図１】
0003112951.tif 000003
【図２】
0003112951.tif 000004
【図３】
0003112951.tif 000005
【図４】
0003112951.tif 000006
【図５】
0003112951.tif 000007
【図６】
0003112951.tif 000008